(57)【要約】      （修正有）【課題】製造時間と費用を低減すると共に、傾斜地に設置する際に、設置現場で簡単に設置面の勾配に対応することができる防護柵用支柱を提供する。【解決手段】平板状のベース部１と、該ベース部１に支持されその上方に立設した柱部２とを備え、前記柱部１に表面が平坦であって垂直方向に延びる横桟取付部３を形成するようにすれば、横桟取付部３を簡単な形状に形成できるため、製造時間を短縮することができる。【選択図】図４
2008063827.tif 000002
【特許請求の範囲】
【請求項１】
平板状のベース部と、該ベース部に支持されその上方に立設された柱部とを備え、前記柱部に表面が平坦であって垂直方向に延びる横桟取付部が形成されていることを特徴とする防護柵用支柱。
【請求項２】
前記柱部は、表面が平坦であって垂直方向に延びる縦板部の両側より相対向する２個の補強板部が背面側に突設された、水平断面が略コ字状の中空体であって、前記縦板部の平坦な正面に横桟取付部が形成されていることを特徴とする請求項１に記載の防護柵用支柱。
【請求項３】
相対向する２個の補強板部間に、横方向に補強材が差し渡されたことを特徴とする請求項２に記載の防護柵用支柱。
【請求項４】
柱部は、その下端がベース部に形成された切欠部に挿入されて固定されていることを特徴とする請求項１〜３のいずれか１項に記載の防護柵用支柱。
【請求項５】
ベース部に形成された切欠部に下端が挿入されて角短柱が立設固定されると共に、該角短柱が柱部の中空体内に挿入されて、柱部がベース部に支持されていることを特徴とする請求項１〜３のいずれか１項に記載の防護柵用支柱。
【請求項６】
前記柱部は、縦板部の両側より相対向する２個の補強板部が正面側に突設された、水平断面が略コ字状の中空体であって、前記相対向する２個の補強板部間に、表面が平坦であって垂直方向に延びる横桟取付板が差し渡され、該横桟取付板の表面に横桟取付部が形成されていることを特徴とする請求項１に記載の防護柵用支柱。
【請求項７】
前記中空体の上端が正面側から背面側の縦板部に向って斜めに切除されていることを特徴とする請求項６に記載の防護柵用支柱。
【請求項８】
ベース部に形成された切欠部に下端が挿入されて角短柱が立設固定されると共に、該角短柱が柱部の中空体内に挿入され、柱部の下部において補強板部間に差し渡された柱支持板が角短柱にボルト止めされて、柱部がベース部に支持されていることを特徴とする請求項６又は７に記載の防護柵用支柱。
【請求項９】
前記中空体の下端が正面側から背面側の縦板部に向って斜めに切除されていることを特徴とする請求項８に記載の防護柵用支柱。
【請求項１０】
横桟取付部に横桟取付具が取付けられ、前記横桟取付具は、横桟取付部に当接する基板の下端から前方に横桟を受ける受け部が突設されると共に、前記基板の背面側より突片が突設され、更に前記突片を中央にして２個の通孔が左右に形成され、一方、前記横桟取付部には、横桟取付具の突片が回動自在に挿入可能な挿入孔と前記通孔に対応して２個の取付孔が形成され、通孔より固着具が取付孔に挿通されて、横桟取付部に横桟取付具が取付けられた際に、突片を中心にして横桟取付具が回動可能なように、前記通孔又は取付孔のいずれか一方若しくは両者が上下に長孔状となされていることを特徴とする請求項１〜９のいずれかに記載の防護柵用支柱。
【発明の詳細な説明】
【技術分野】
【０００１】
本発明は、主に道路や橋梁の側縁に設置され、横桟が取付けられることで防護柵が形成される防護柵用支柱に関するものである。
【背景技術】
【０００２】
従来、支柱に横桟が取付けられて形成された防護柵用支柱については、例えば特許文献１の図面の図３及び４に開示されているように、支柱の横断面がほぼＨ型となされ、また横桟の取付けられる部分は円筒形を一部切り落とした形に形成され、更には支柱下部から上部にかけて湾曲して形成されているものが用いられている。
【０００３】
【特許文献１】実開昭６１−７６８１１号公報
【発明の開示】
【発明が解決しようとする課題】
【０００４】
しかしながら、特許文献１に開示された如き形状の防護柵用支柱は、鋳造される場合を除いて、Ｈ型の防護柵用支柱の正面と背面のフランジとそれらを繋ぐウェブとは、溶接されて接合され、しかも車両衝突に耐え得る強度を必要とすることから、フランジとウェブとの接触部はほぼ全て溶接されて形成されている。また、横桟取付部は円筒形を一部切り落とした複雑な形状となされており、その横桟取付部も溶接されて接合されている。従って、防護柵用支柱を製造する時間と費用が嵩んでしまうという問題があった。更には、横桟の取付部が溶接接合されているため、傾斜地に設置する際には設置面の勾配に応じた角度に対応して溶接し製作する必要があるため、設置面の勾配を詳細に測量する手間がかかるという問題もあった。
【０００５】
本発明は上記のような課題を解決するためになされたものであり、製造時間と費用を低減すると共に、傾斜地に設置する際に、設置現場で簡単に設置面の勾配に対応することができる防護柵用支柱を提供せんとするものである。
【課題を解決するための手段】
【０００６】
上記目的を達成するため、本発明は以下のような構成としている。すなわち、本発明に係る防護柵用支柱は、平板状のベース部と、該ベース部に支持されその上方に立設された柱部とを備え、前記柱部に表面が平坦であって垂直方向に延びる横桟取付部が形成されていることを特徴とするものである。
【発明の効果】
【０００７】
本発明に係る防護柵用支柱によれば、平板状のベース部と、該ベース部に支持されその上方に立設した柱部とを備え、前記柱部に表面が平坦であって垂直方向に延びる横桟取付部を形成するようにすれば、横桟取付部を簡単な形状に形成できるため、製造時間を短縮することができる。
【０００８】
また本発明において、前記柱部は、表面が平坦であって垂直方向に延びる縦板部の両側より相対向する２個の補強板部が背面側に突設された、水平断面が略コ字状の中空体であって、前記縦板部の平坦な正面に横桟取付部を形成するようにしてもよい。かようにすれば、所定の形状の板材を折曲するだけで前記柱部を形成することができるので、溶接にかかる時間に比べ格段に製造時間を短縮することができる。
【０００９】
さらにまた本発明において、相対向する２個の補強板部間に、横方向に補強材を差し渡すようにすれば、防護柵用支柱正面側からの衝撃に対して、開放された柱部背面側を補強し、剛性の高い構造の防護柵用支柱を形成することができ、好ましい。
【００１０】
さらにまた本発明において、柱部を、その下端がベース部に形成された切欠部に挿入されて固定されているようになしてもよい。かようにすれば、衝撃が加わった際に、ベース部が変形することにより、柱部に集中する応力を分散させ、局部的な座屈を防ぐことにより、防護柵用支柱の支持力低下を抑えることができる。
【００１１】
さらにまた本発明において、ベース部に形成された切欠部に下端が挿入された角短柱を立設固定すると共に、該角短柱を柱部の中空体内に挿入して、柱部がベース部に支持されているようにすれば、防護柵を傾斜地に設置する際、ベース部は傾斜した設置面に固定し、柱部と角短柱とを傾けて支持させることによって、柱部は鉛直方向に設置することができるので、外観上好ましい防護柵用支柱となすことができる。
【００１２】
さらにまた本発明において、前記柱部は、縦板部の両側より相対向する２個の補強板部を正面側に突設した、水平断面が略コ字状の中空体であって、前記相対向する２個の補強板部間に、表面が平坦であって垂直方向に延びる横桟取付板を差し渡すようになし、該横桟取付板の表面に横桟取付部を形成するようにしてもよい。かようにすれば、防護柵用支柱の柱部背面側の縦板部が全面閉鎖されているので、防護柵用支柱の前面側から衝撃が加わった際に、柱部の背面側に加わる圧縮力に対して充分耐力を有する防護柵用支柱を形成することができると共に、相対向する２個の補強板部間に差し渡した、表面が平坦で垂直方向に延びる横桟取付板の表面に横桟取付部を形成しているので、傾斜地に設置する際に、傾斜地の角度に応じて横桟の角度を対応させ、横桟取付板に横桟を取付けることができる。
【００１３】
さらにまた本発明において、前記中空体の上端を正面側から背面側の縦板部に向って斜めに切除するようにすれば、ボルトを用いて横桟を横桟取付部に固定する作業において、中空体の背面側からボルトを横桟取付板に穿設した取付孔に挿通する際、柱部背面側の縦板部が邪魔にならず、横桟を横桟取付部に固定する作業を効率よく行うことができる。
【００１４】
さらにまた本発明において、ベース部に形成した切欠部に下端を挿入して角短柱を立設固定すると共に、該角短柱を柱部の中空体内に挿入して、柱部の下部において補強板部間に差し渡した柱支持板を角短柱にボルト止めして、柱部をベース部に支持するようにしてもよい。かようにすれば、防護柵を傾斜地に設置する際、ベース部を傾斜した設置面に固定し、柱支持板を角短柱にボルト止めする時、ボルトを回転軸として柱部とベース部とを傾けて支持させることによって、柱部は鉛直方向に設置することができるので、種々の傾斜地の角度毎に傾斜地用の防護柵用支柱を製造する必要はなく、１種類の防護柵用支柱Ｐを作製すれば、平地にも小さな勾配の傾斜地にも設置することができるので、それより大きな勾配の傾斜地に対応できる防護柵用支柱を作製して、防護柵用支柱Ｐの少ない種類で多様な勾配に対応でき、生産効率の向上を図ることができ、好ましい。
【００１５】
さらにまた本発明において、前記中空体の下端を正面側から背面側の縦板部に向って斜めに切除するようにすれば、防護柵用支柱の前面側から衝撃が加わり中空体が背面側に湾曲した際にも、中空体の下端はベース部に当接することがないので、局部的に応力が集中するのを避けることができる。
【００１６】
さらにまた本発明において、横桟取付部に横桟取付具を取付けて、前記横桟取付具は、横桟取付部に当接する基板の下端から前方に横桟を受ける受け部が突設されると共に、前記基板の背面側より突片が突設され、更に前記突片を中央にして２個の通孔が左右に形成され、一方、前記横桟取付部には、横桟取付具の突片が回動自在に挿入可能な挿入孔と前記通孔に対応して２個の取付孔が形成され、通孔より固着具が取付孔に挿通されて、横桟取付部に横桟取付具が取付けられた際に、突片を中心にして横桟取付具が回動可能なように、前記通孔又は取付孔のいずれか一方若しくは両者を上下に長孔状となすようにしてもよい。かようにすれば、防護柵を傾斜地に設置する際、その傾斜角度に合わせて自在に、横桟を横桟取付具を介して防護柵用支柱の横桟取付部に取付けることができると共に、横桟取付具を横桟取付部に取付けるためのボルトやビスを別途準備する必要がなく、突片を横桟取付部に形成された挿入孔に挿入するだけで、横桟取付具を横桟取付部に仮止めすことができるので、施工性が向上する。
【発明を実施するための最良の形態】
【００１７】
本発明に係る最良の実施の形態について、図面に基づき以下に具体的に説明する。
図１は本発明に係る防護柵用支柱を用いた防護柵の実施の一形態を示す正面図であり、図２は本発明に係る防護柵用支柱の実施の一形態を示すもので、（イ）は正面図、（ロ）は平面図、（ハ）は右側面図、（ニ）は左側面図、（ホ）は背面図、（ヘ）は底面図、（ト）は縦断面図であり、図３は本発明に係る防護柵用支柱の別の実施形態を示すもので、（イ）は正面図、（ロ）は平面図、（ハ）は右側面図、（ニ）は左側面図、（ホ）は背面図、（ヘ）は底面図、（ト）は縦断面図であり、図４は本発明に係る防護柵用支柱の更に別の実施形態を示すもので、（イ）は正面図、（ロ）は平面図、（ハ）は右側面図、（ニ）は左側面図、（ホ）は背面図、（ヘ）は底面図、（ト）は縦断面図であり、図５は図３に示す防護柵用支柱を傾斜地に設置する際の、（イ）は正面から見た説明図、（ロ）は背面から見た説明図であり、図６は図４に示す防護柵用支柱を傾斜地に設置する際の、（イ）は正面から見た説明図、（ロ）は背面から見た説明図であり、図７は図３に示す防護柵用支柱の、（イ）は正面側から見た分解斜視図、（ロ）は背面側から見た分解斜視図であり、図８は図４に示す防護柵用支柱の、（イ）は正面側から見た分解斜視図、（ロ）は背面側から見た分解斜視図であり、図９は図２に示す防護柵用支柱の変形実施例を示すもので、（イ）は正面図、（ロ）は平面図、（ハ）は左側面図であり、図１０は図３または図４に示す防護柵支柱の要部の変形実施例を示すもので、（イ）は正面図、（ロ）は平面図、（ハ）は左側面図、（ニ）は背面図、（ホ）は底面図であり、図１１は本発明に係る防護柵用支柱に取付ける横桟取付具を示す、（イ）は正面図、（ロ）は平面図、（ハ）は左側面図、（ニ）は背面図、（ホ）は底面図であり、図１２は図４に示す実施形態の防護柵用支柱Ｐを用いて形成した防護柵の分解斜視図である。
【００１８】
図２〜４において、１は矩形の平板状のベース部であり、２はベース部１に支持されてその上方に立設された柱部であり、３該柱部２の正面側に形成され、その表面が平坦であって垂直方向に延びる横桟取付部である。そして、横桟取付部３には、横桟Ｂをボルトにより取付けるための取付孔３１が左右対称に一対で上下に三段にわたり穿設されている。図６に示す４は横桟取付具であって、横桟Ｂは横桟取付具４を介して防護柵用支柱Ｐに取付けられている。
【００１９】
ベース部１の四隅には、地表面に固定するためのアンカーボルトを挿通するための上下方向に貫通されたアンカーボルト孔１１が、ベース部１の中心に対して点対称に４個設けられている。
【００２０】
図２に示す実施形態おいて、柱部２は、表面が平坦であって垂直方向に延びる縦板部２１の両側より相対向する２個の補強板部２２が背面側に突設された、水平断面が略コ字状の中空体であって、前記縦板部２１の平坦な正面に横桟取付部３が形成されている。また補強板部２２は、側面視において、上方から中央にかけて、なだらかなに拡幅されており、中央から下方にかけては、ほぼ同一幅で形成されている。そして、相対向する２個の補強板部２２、２２の先端部は、各々外方に向けて折曲されており、防護柵用支柱Ｐの強度向上が図られている。更に、相対向する２個の補強板部２２、２２間には、補強横板２３が差し渡されており、更なる防護柵用支柱Ｐの強度向上が図られている。また本実施形態では、ベース部１の上面に柱部２の下端縁が溶接されて立設されている。
【００２１】
図３に示す実施形態おいても、図２に示す実施形態と同様に、柱部２は、表面が平坦であって垂直方向に延びる縦板部２１の両側より相対向する２個の補強板部２２が背面側に突設された、水平断面が略コ字状の中空体であって、前記縦板部２１の平坦な正面に横桟取付部３が形成されており、補強板部２２は、側面視において、上方から中央にかけて、なだらかなに拡幅されており、中央から下方にかけては、ほぼ同一幅で形成されており、相対向する２個の補強板部２２、２２の先端部は、各々外方に向けて折曲されている。
【００２２】
図２と異なる点は、ベース部１には切欠部１２が形成され、該切欠部１２に下端が挿入されて角短柱５が立設固定されると共に、該角短柱５が柱部２の中空体内に挿入されて、柱部２がベース部１に支持されている点である。柱部２下部の正面側には、ボルトにより柱部２を角短柱５に支持するための支持孔２４が縦方向に２個穿設されており、相対向する２個の補強板部２２、２２間に差し渡された補強横板２３の中央には、背面側からボルトにより柱部２を角短柱５に支持するための支持孔２４が１個穿設されて、柱部２がベース部１に支持されている。
【００２３】
かような構造となすことにより、図５および図７に示す如く、背面側の補強横板２３に挿通したボルトを中心にして、ベース部１に対して柱部２を回動させることにより、防護柵を傾斜地に設置する際、ベース部１は傾斜した設置面に固定し、柱部２と角短柱５とを傾けて支持させることによって、柱部２は鉛直方向に設置することができるので、外観上好ましい防護柵用支柱Ｐとなすことができ、更に１種類の防護柵用支柱Ｐを作製すれば、平地にも小さな勾配の傾斜地にも設置することができるので、それより大きな勾配の傾斜地に対応できる防護柵用支柱を作製して、防護柵用支柱Ｐの少ない種類で多様な勾配に対応でき、生産効率の向上を図ることができる。
【００２４】
図４に示す実施形態おいても、図３に示す実施形態と同様に、ベース部１には切欠部１２が形成され、該切欠部１２に下端が挿入されて角短柱５が立設固定されると共に、該角短柱５が柱部２の中空体内に挿入されて、柱部２がベース部１に支持されている。
【００２５】
図２と異なる点は、柱部２が、縦板部２１の両側より相対向する２個の補強板部２２を正面側に突設した、水平断面が略コ字状の中空体であって、前記相対向する２個の補強板部２２間に、表面が平坦であって垂直方向に延びる横桟取付板６が上部と中央部とに各々１個ずつと下部に柱支持板７が１個差し渡されて、該横桟取付板６および柱支持板７の表面に横桟取付部３が形成されている点である。この横桟取付部３には図２，３に示す実施形態の横桟取付部３に設けられたものと同様の取付孔６１，７１が左右対称に一対で穿設されており、取付孔６１，６１および７１，７１の間には、横桟取付具４を係止するための取付孔６１，７１より小径の挿入孔６２，７２が穿設されている。また、縦板部２１の下部には、ボルトにより柱部２を角短柱５に支持するための支持孔２４が縦方向に２個穿設されており、柱支持板７には、正面側からボルトにより柱部２を角短柱５に支持するための支持孔７３が１個穿設されて、柱部２がベース部１に支持されている。更に、角短柱５の背面側下部の両隅部に、該隅部が切り欠かれて切欠孔５１が形成されている。
【００２６】
かような構造となすことにより、図６および図８に示す如く、正面側の柱支持板７の支持孔７３に挿通したボルトを中心にして、ベース部１に対して柱部２を回動させることにより、防護柵を傾斜地に設置する際、ベース部１は傾斜した設置面に固定し、柱部２と角短柱５とを傾けて支持させることによって、柱部２は鉛直方向に設置することができるので、外観上好ましい防護柵用支柱Ｐとなすことができ、更に１種類の防護柵用支柱Ｐを作製すれば、平地にも小さな勾配の傾斜地にも設置することができるので、それより大きな勾配の傾斜地に対応できる防護柵用支柱を作製して、防護柵用支柱Ｐの少ない種類で多様な勾配に対応でき、生産効率の向上を図ることができるのに加えて、防護柵用支柱Ｐの柱部２背面側の縦板部２１が全面閉鎖されているので、防護柵用支柱Ｐの前面側から衝撃が加わった際に、柱部２の背面側に加わる圧縮力に対して充分耐力を有すると共に、角短柱５の背面側下部の両隅部に形成した切欠孔５１が、柱部２の傾倒による角短柱５の座屈割れを防止することができ、充分耐力を有する防護柵用支柱Ｐを形成することができる。
【００２７】
また本実施形態においては、前記中空体の上端が正面側から背面側の縦板部２１に向って斜めに切除されている。かようにすることによって、ボルトを用いて横桟を横桟取付部３に固定する作業において、中空体の背面側からボルトを横桟取付板６に穿設した取付孔６１に挿通する際、柱部２背面側から取付孔６１が覗けるので、柱部２背面側の縦板部２１が邪魔にならず、横桟Ｂを横桟取付部３に固定する作業を効率よく行うことができる
【００２８】
更にまた、前記中空体の下端を正面側から背面側の縦板部２１に向って斜めに切除されており、防護柵用支柱Ｐの前面側から衝撃が加わり中空体が背面側に湾曲した際にも、中空体の下端はベース部１に当接することがなく、局部的に応力が集中するのを避けることができるようになされている。
【００２９】
また図９に示すように、柱部２の下端が溶接されるベース部１に形成された切欠部１２は、背面側に開口されてなされてもよい。かかる構造にすることにより、切欠部１２が形成されたベース部１は更に変形しやすい形状となされ、車両等が防護柵に衝突した際に防護柵用支柱Ｐに加わる衝撃力に対して、局部的に加わる応力を分散させることができる。
【００３０】
また図１０に示すように、角短柱５の下端が溶接されるベース部１に形成された切欠部１２も、背面側に開口されてなされてもよい。かようにすれば、図１０に示す形状と同様、柱部２に衝撃が加わった際に、ベース部１が更に変形しやすくなり、柱部２に集中する応力を分散させ、局部的な座屈を防ぐことによって、防護柵用支柱Ｐの支持力低下を抑えることができる。
【００３１】
図１１には、横桟取付部３に取付けられる横桟取付具４を示す。該横桟取付具４は、横桟取付部３に当接する基板４１の下端から前方に横桟Ｂを受ける受け部４２が突設されると共に、前記基板４１の背面側より突片４３が突設され、更に前記突片４３を中央にして２個の通孔４４が左右に形成されている。更に受け部４２について説明すると、基板４１の下端から前方斜め下方に向けて突設された平板の先端部が斜め上方に折曲されて、横桟Ｂを安定して載置できるように略Ｖ字状の受け部４２が形成されている。一方、前記横桟取付部３には、横桟取付具４の突片４３が回動自在に挿入可能な挿入孔３２と前記通孔４４に対応して２個の取付孔３１が形成され、通孔４４より固着具であるボルトが取付孔３１に挿通されて、横桟取付部３に横桟取付具４が取付けられた際に、突片４３を中心にして横桟取付具４が回動可能なように、前記通孔４４又は取付孔３１のいずれか一方若しくは両者を上下に長孔状となすようになされている。かかる構造となすことにより、防護柵を傾斜地に設置する際、その傾斜角度に合わせて自在に、横桟Ｂを横桟取付具４を介して防護柵用支柱Ｐの横桟取付部３に取付けることができると共に、横桟取付具４を横桟取付部３に取付けるためのボルトやビスを別途準備する必要がなく、突片４３を横桟取付部３に形成された挿入孔３２に挿入するだけで、横桟取付具４を横桟取付部３に仮止めすことができるので、施工性が向上する。
【００３２】
図１２は横桟取付部３と横桟Ｂと横桟取付具４の取付け構造を説明するためのものであって、図４に示す実施形態の防護柵用支柱Ｐを用いて形成した防護柵の分解斜視図を示す。上述の如く、相対向する２個の補強板部２２間に、表面が平坦であって垂直方向に延びる横桟取付板６が上部と中央部とに各々１個ずつと下部に柱支持板７が１個差し渡されて、該横桟取付板６および柱支持板７の表面に横桟取付部３が形成されている。この横桟取付部３には、取付孔６１，７１が左右対称に一対で穿設されており、取付孔６１，６１および７１，７１の間には、横桟取付具４を係止するための取付孔６１，７１より小径の挿入孔６２，７２が穿設されている。この挿通孔６２，７２に横桟取付具４の突片４３を挿入し、柱部２に横桟取付具４が係止される。そして、２個の横桟Ｂ，Ｂの両端にインナースリーブＳを挿入し、該インナースリーブＳに４個設けられた雌ネジ部に、横桟取付板６および柱支持板７の背面側からボルトを螺入して、横桟取付部３と横桟Ｂと横桟取付具４とを共締めして、防護柵が形成される。また、図２，３に示す実施形態においても同様に、横桟取付部３に横桟取付具４を介して横桟Ｂが取付けられるのである。
【００３３】
尚、言うまでもないが、図２、３および４に示す実施形態において、横桟取付具４を取付ける為の挿入孔３２，６２，７２が横桟取付部３に穿設されているが、挿入孔３２，６２，７２を穿設することなく、つまり横桟取付具４を介することなく、取付孔３１，６１，７１に横桟Ｂを直接ボルトで固定してもよい。
【００３４】
ベース部１、柱部２、補強横板２３、横桟取付具４、角短柱５、横桟取付板６および柱支持板７は、防護柵用支柱Ｐに用いるものであるから、強度の高い金属製のものとするのが好適であり、鉄鋼、ステンレス、アルミニウム等の金属材料を用いて形成するのが好ましく、より好適なのは鉄鋼である。また、ベース部１及び柱部２に鉄鋼を用いる場合には、亜鉛等のめっきや塗装等の表面処理を施して腐食防止を図っておくのが好ましい。
【００３５】
上記実施形態において、アンカーボルト孔１１は４個穿設され、横桟取付部３、取付孔２３、横桟取付具４及び横桟Ｂは三段設けるようにしているが、これに限定されるわけではなく、設置場所における防護柵の必要強度に応じて、各々適宜数量設けるようにすればよい。
【産業上の利用可能性】
【００３６】
本発明に係る防護柵用支柱は、平板状のベース部と、該ベース部に支持されその上方に立設した柱部とを備え、前記柱部に表面が平坦であって垂直方向に延びる横桟取付部を形成されているので、横桟取付部を簡単な形状に形成でき、製造時間を短縮することができ、納期面やコスト面での利点が大きい防護柵用支柱として好適に利用することができる。
【図面の簡単な説明】
【００３７】
【図１】本発明に係る防護柵用支柱を用いた防護柵の実施の一形態を示す正面図である。
【図２】本発明に係る防護柵用支柱の実施の一形態を示すもので、（イ）は正面図、（ロ）は平面図、（ハ）は右側面図、（ニ）は左側面図、（ホ）は背面図、（ヘ）は底面図、（ト）は縦断面図である。
【図３】本発明に係る防護柵用支柱の別の実施形態を示すもので、（イ）は正面図、（ロ）は平面図、（ハ）は右側面図、（ニ）は左側面図、（ホ）は背面図、（ヘ）は底面図、（ト）は縦断面図である。
【図４】本発明に係る防護柵用支柱の更に別の実施形態を示すもので、（イ）は正面図、（ロ）は平面図、（ハ）は右側面図、（ニ）は左側面図、（ホ）は背面図、（ヘ）は底面図、（ト）は縦断面図である。
【図５】図３に示す防護柵用支柱を傾斜地に設置する際の、（イ）は正面から見た説明図、（ロ）は背面から見た説明図である。
【図６】図４に示す防護柵用支柱を傾斜地に設置する際、（イ）は正面から見た説明図、（ロ）は背面から見た説明図である。
【図７】図３に示す防護柵用支柱の、（イ）は正面側から見た分解斜視図、（ロ）は背面側から見た分解斜視図である。
【図８】図４に示す防護柵用支柱の、（イ）は正面側から見た分解斜視図、（ロ）は背面側から見た分解斜視図である。
【図９】図２に示す防護柵用支柱の変形実施例を示すもので、（イ）は正面図、（ロ）は平面図、（ハ）は左側面図、（ニ）は背面図、（ホ）は底面図である。
【図１０】図３または図４に示す防護柵支柱の要部の変形実施例を示すもので、（イ）は正面図、（ロ）は平面図、（ハ）は左側面図、（ニ）は背面図、（ホ）は底面図である。
【図１１】本発明に係る防護柵用支柱に取付ける横桟取付具を示す、（イ）は正面図、（ロ）は平面図、（ハ）は左側面図である。
【図１２】図４に示す実施形態の防護柵用支柱Ｐを用いて形成した防護柵の分解斜視図である。
【符号の説明】
【００３８】
Ｐ    防護柵用支柱
１    ベース部
１１  アンカーボルト孔
１２  切欠部
２    柱部
２１  縦板部
２２  補強板部
２３  補強横板
２４  支持孔
３    横桟取付部
３１  取付孔
３２  挿入孔
４    横桟取付具
４１  基板
４２  受け部
４３  突片
４４  通孔
５    角短柱
５１  切欠孔
６    横桟取付板
６１  取付孔
６２  挿入孔
７    柱支持板
７１  取付孔
７２  挿入孔
７３  支持孔
Ｂ    横桟
Ｓ    インナースリーブ
【図１】
2008063827.tif 000003
【図２】
2008063827.tif 000004
【図３】
2008063827.tif 000005
【図４】
2008063827.tif 000006
【図５】
2008063827.tif 000007
【図６】
2008063827.tif 000008
【図７】
2008063827.tif 000009
【図８】
2008063827.tif 000010
【図９】
2008063827.tif 000011
【図１０】
2008063827.tif 000012
【図１１】
2008063827.tif 000013
【図１２】
2008063827.tif 000014